(57)【特許請求の範囲】
【請求項１】
ディジタル放送信号またはアナログ放送信号を受信し、選択されたチャンネルの映像／音声信号を出力および記録するテレビジョン放送受信記録装置において、
受信した放送信号に基づいて生成された映像データおよび音声データからなる所定形式のディジタルデータを記録する記録手段と、
所定の経路で番組情報を取得する番組情報取得手段と、
前記番組情報取得手段により取得された番組情報を解析する番組情報解析手段と、
番組視聴中に録画命令が入力された場合に、当該視聴中の番組を含む番組情報を前記番組情報解析手段により解析させ、録画予約の設定を行う番組録画制御手段と、
単一の入力操作により前記番組録画制御手段に前記録画命令を入力し、録画予約の設定を実行させる入力手段と、
現在の時刻を計時する計時手段と、
を備え、
前記録画制御手段は、
前記入力手段より前記録画命令が入力された時点の日時を前記計時手段からの情報より判断し、該日時に基づいて、当該番組の放送曜日、番組放送開始時刻および番組放送終了時刻を前記番組情報解析手段により抽出させ、抽出結果に基づいて録画予約の設定を行うとともに、
前記入力手段より前記録画命令が入力された時刻が、視聴中の番組の開始または終了から所定時間内であった場合には、当該視聴中の番組の前または後の番組を対象として録画予約を設定可能であることを特徴とするテレビジョン放送受信記録装置。
【請求項２】
前記録画制御手段は、前記録画予約の設定において録画周期を変更可能であることを特徴とする請求項１に記載のテレビジョン放送受信記録装置。
【発明の詳細な説明】
【技術分野】
【０００１】
本発明は、テレビジョン放送信号を受信して選択されたチャンネルの映像／音声信号を出力するとともに、テレビジョン放送信号に基づいて生成されたディジタルデータを記録するテレビジョン放送受信記録装置に関する。
【背景技術】
【０００２】
例えば、ハードディスクレコーダ等のテレビジョン放送受信記録装置は、ディジタルまたはアナログのテレビジョン放送信号を受信する回路を具備しており、受信したテレビジョン放送信号を変換し、アナログ方式の映像／音声信号を出力する。また、テレビジョン放送信号を記録する場合には、受信したテレビジョン放送信号を所定の映像／音声データで再生し、所定形式のディジタルデータに変換してハードディスクドライブ（ＨＤＤ）やＤＶＤ（Digital Versatile Disk）等の記憶媒体に記録する。
【０００３】
特に、ディジタル放送信号には、番組のタイトル、内容、放送時刻等を含む番組情報が重畳されており、テレビジョン放送受信記録装置では、この番組情報に基づいてＥＰＧ(電子番組表)を生成し、表示装置に表示させることができる。視聴者は、このＥＰＧ画面において所望の番組を選択し録画予約を設定することで、容易に番組の録画予約を行うことができる。
【０００４】
また、視聴者が番組を視聴中に当該番組を録画する必要が生じた場合は、リモコン装置等に備えられている録画ボタンを押すことで録画を開始することができ、録画終了時には、録画終了操作(例えば、停止ボタンを押す等)を行うことで録画を終了することができる。
【０００５】
上述したような録画方法の他、テレビジョン放送信号の録画予約に関するものとして以下の技術が提案されている。
【０００６】
例えば、特許文献１には、ディジタル放送等の番組再生中に録画命令が入力される（例えば、録画ボタン）と、番組情報を解析して再生中の放送信号の放送時刻を抽出し、現在再生中の番組、または、所定の日数周期で同放送時刻に放送される番組を録画できるようにしたディジタル放送／アナログ放送受信記録装置が開示されている。
【０００７】
特許文献２には、現在視聴中の番組に関連された次回放送日時情報をディジタル放送波から取り出し記憶することで、次回放送を確実に録画可能なディジタル放送受信装置が開示されている。
【０００８】
特許文献３には、受信された現在放送中の放送データ、又は記録手段に既に録画されて現在再生中の放送データから番組予告ＣＭデータを選択し、この番組予告ＣＭデータから番組情報を抽出し、抽出された番組情報にしたがって録画予約を行う録画装置が開示されている。
【０００９】
特許文献４には、所望する番組の録画予約の設定を行うとともに、録画開始映像および録画終了映像を設定しておき、この録画開始映像から録画終了映像までの範囲の映像を録画させることで、容易かつ確実な予約録画を可能としたＴＶ番組録画予約システムが開示されている。
【００１０】
特許文献５には、毎日または毎週というように、一定期間毎に放送されるシリーズ化された番組（シリーズコンテンツ）の録画／再生時にユーザの操作を煩雑にすることがないように、シリーズコンテンツの管理を行うことができるコンテンツ録画再生管理装置が開示されている。
【００１１】
一方で、視聴者が放送受信装置により視聴するときの利便性を向上させるためのものとして、例えば、特許文献６には、リモコン装置の電源ＯＮ時にユーザが所望する番組が表示されるようにした受信装置が開示されている。
【特許文献１】実用新案登録第３０９４９９２号
【特許文献２】特開２００２−１７１４５５号公報
【特許文献３】特開２００４−１２０４０８号公報
【特許文献４】特開２００５−１１７４０２号公報
【特許文献５】特開２００４−３４３５２０号公報
【特許文献６】特開２００１−２３０９７９号公報（特許第３７０３３５７号）
【発明の開示】
【発明が解決しようとする課題】
【００１２】
しかしながら、上記特許文献１〜５に記載の技術によれば、視聴者が録画装置により録画予約を行う際の利便性を格段に向上させることができるという利点はあるが、録画予約そのものの設定作業は必ずしも単純なものではない。つまり、上記先願技術は便利な機能であるものの、実際に視聴者が使いこなせるかは疑問が残り、むしろ、従来提供されているＥＰＧですら便利な機能として利用していない視聴者にとっては、上記先願技術は無駄な機能となる虞がある。
【００１３】
また、上記特許文献６に記載の技術は単純な入力操作により番組視聴時の利便性を向上できるものであるが、視聴者が録画予約を行う際の利便性を向上できるものではない。
【００１４】
そこで、本発明は、視聴者が所望する番組の録画予約の設定を単純な入力操作により行うことができるテレビジョン放送受信記録装置を提供することを目的とする。
【課題を解決するための手段】
【００１５】
本発明は、前記課題を解決するためになされたものであり、ディジタル放送信号またはアナログ放送信号を受信し、選択されたチャンネルの映像／音声信号を出力および記録するテレビジョン放送受信記録装置において、受信した放送信号に基づいて生成された映像データおよび音声データからなる所定形式のディジタルデータを記録する記録手段と、所定の経路（放送信号またはネットワーク経由）で番組情報を取得する番組情報取得手段と、前記番組情報取得手段により取得された番組情報を解析する番組情報解析手段と、番組視聴中に録画命令が入力された場合に、当該視聴中の番組を含む番組情報（視聴中の番組およびその前（後）の番組の番組情報）を前記番組情報解析手段により解析させ、録画予約の設定を行う番組録画制御手段と、単一の入力操作により前記番組録画制御手段に前記録画命令を入力し、録画予約の設定を実行させる入力手段と、を備えることを特徴とする。例えば、リモコン装置に簡単録画予約用の専用ボタン（簡単録画予約ボタン）を設けるようにする。
【００１６】
これにより、視聴者は、番組を視聴中にリモコン装置の簡単録画予約ボタンを操作するという極めて簡単な入力操作により、視聴中の番組の今後の放送について録画予約を設定することができる。なお、録画予約と同時に現在視聴中の番組の録画を実行させるようにしてもよい。
【００１７】
具体的には、現在の時刻を計時する計時手段を備え、前記録画制御手段は、前記入力手段より前記録画命令が入力された時点の日時を前記計時手段からの情報より判断し、該日時日時に基づいて、当該番組の放送曜日、番組放送開始時刻および番組放送終了時刻を前記番組情報解析手段により抽出させ、抽出結果に基づいて録画予約の設定を行うようにした。つまり、録画予約の設定において、単純に曜日、番組放送開始時刻、放送終了時刻のみを設定するので、比較的単純なプログラムにより実現することができる。
【００１８】
さらに、前記録画制御手段は、前記入力手段より前記録画命令が入力された時刻が、視聴中の番組の開始または終了から所定時間内であった場合、すなわち、番組が切り替わるタイミングで録画命令が入力されたと判断できる場合には、当該視聴中の番組の前または後の番組を対象として録画予約を設定可能であるようにした。例えば、視聴している番組が終了した後で視聴者がこの番組の次回放送を録画予約したいと考える場合や、番組が始まる直前に流れる番組予告のＣＭ等でこの番組の次回放送を録画予約したいと考える場合もあるため、このような事態に対応できるようにした。これにより、単純な入力操作で録画予約の設定を行うことができるとともに、視聴者が録画命令を入力した時間が多少ずれても所望の番組の録画予約を設定できる。
【００１９】
また、前記録画制御手段は、前記録画予約の設定において録画周期を変更可能であるようにした。基本的には、番組情報から抽出された曜日情報にしたがって録画予約を行うので１週間周期で録画予約が行われることとなるが、当該番組が毎日放送されるものである場合は１日周期で録画予約をするのが望ましく、このような事態に対応すべく録画予約の設定において録画周期を変更できるようにした。この場合、入力手段（簡単録画予約ボタン）の入力操作が行われた場合は基本的に１週間周期で録画予約の設定を行うようにし、特別な入力操作（例えば、簡単録画予約ボタンの長押し）が行われたときにだけ、１日周期に変更できるようにするようにしてもよい。
【発明の効果】
【００２０】
本発明によれば、単一の入力操作により番組録画制御手段に録画命令を入力し、録画予約の設定を実行させる入力手段（例えば、リモコン装置の簡単録画予約ボタン）を設けるようにしたので、視聴者は番組を視聴中にこの簡単録画予約ボタンを操作するという極めて簡単な入力操作により、視聴中の番組の今後の放送について録画予約を設定することができる。また、煩雑な入力操作を行う必要はないので、機能が複雑化している昨今のテレビジョン受信記録装置の操作を苦手とする視聴者であっても、簡単便利に利用することができる。
【発明を実施するための最良の形態】
【００２１】
以下、本発明の好適な実施の形態を図面を参照して説明する。
図１は、本発明に係るテレビジョン放送受信記録装置としてのハードディスクレコーダ（ＨＤＤレコーダ）１００の主要部を示すブロック図である。ＨＤＤレコーダ１００は、チューナ１、ＮＴＳＣデコーダ２、ＮＴＳＣエンコーダ３、ＡＴＳＣフロントエンド４、ＭＰＥＧデコーダ５、ディジタルデータ記憶部６、制御部７、操作部８、メモリ９、装置内時計１０、およびリモコン装置２０を主要な構成要素としている。
【００２２】
なお、チューナ１は、ディジタル放送信号受信部とアナログ放送信号受信部とを備え、ディジタル放送信号とアナログ放送信号とを同時に受信することができる。また、ＭＰＥＧデコーダ５はＯＳＤ合成回路を備えており、操作部９は装置本体正面に備えられた複数の操作キーで構成されるとともに、リモコン装置２０からの操作信号を受信する受信回路を備えている。また、装置内時計１０は現在の時刻を計時する計時手段であり、例えば、録画入力された日時をこの装置内時計１０からの情報より判断することができる。
【００２３】
図２は、リモコン装置２０の概略構成図である。リモコン装置２０は、電源ボタン２１と、数字ボタン２２と、ＥＰＧ画面を表示させるＥＰＧボタン２４と、ＥＰＧ画面等で選択した項目で決定するためのＥＮＴボタン２３と、チャンネル選択に用いるチャンネルボタン２５，２６と、ＥＰＧ画面等でカーソルＣＳＲを上下左右に移動させるナビゲーションボタン２７と、記憶部６に記録されている映像・音声データの再生やテレビジョン放送信号の記録等を行う記録再生用ボタン２８と、その他所定の機能を実行するためのボタンを配置されている。特に、本実施形態のリモコン装置２０には、記録再生用ボタン２８の一つとして、単一入力操作で録画予約設定を実行させるための簡単録画予約ボタン２９が設けられている。視聴者は、番組を視聴中にこの簡単録画予約ボタン２９の入力操作を行うだけで、当該番組の次回以降の放送について録画予約の設定（曜日、開始時刻、終了時刻）を行うことができる。
【００２４】
上述した構成を有するＨＤＤレコーダ１００において、視聴者が操作部８またはリモコン装置２０を用いて所望の番組が放送されているチャンネルを選択すると、この選択信号が制御部７に伝送され、制御部７は該当チャンネルを抽出するようにチューナ１を制御する。
【００２５】
選択された番組がディジタル放送である場合は、チューナ１は、アンテナ４０で受信したＡＴＳＣ方式のディジタル放送波から選択番組を放送しているチャンネルのディジタル放送信号を抽出し、増幅してＡＴＳＣフロントエンド４に出力する。
【００２６】
ＡＴＳＣフロントエンド４は、チューナ１から入力されたディジタル放送信号に重畳されている番組情報を分離して、映像データと音声データとを含むＭＰＥＧ形式のディジタルデータに変換し、ＭＰＥＧデコーダ５に出力する。
【００２７】
ＭＰＥＧデコーダ５は、入力されたディジタルデータを映像データと音声データ等に分離した後、アナログ方式の映像信号と音声信号とに変換し、例えばアナログ方式のテレビジョン受像器等の表示器３０に出力する。ここで、ＯＳＤ画像信号があれば映像信号に重畳して表示器３０に出力する。
【００２８】
また、ＡＴＳＣフロントエンド４で分離された番組情報はメモリ９に記憶される（番組情報取得手段）。制御部７は、視聴者からＥＰＧ画面を出力する操作（リモコン装置２０のＥＰＧボタン２４の入力操作）を受けると、メモリ９に記憶されている番組情報を読み出し、所定のフォーマットのＥＰＧ画面を生成して、ＯＳＤ画像信号としてＭＰＥＧデコーダ５に出力する。ＭＰＥＧデコーダ５は、ＥＰＧ画面を映像信号に重畳して表示器３０に出力する。
【００２９】
一方、視聴者によって選択された番組がアナログ放送である場合は、チューナ１は、アンテナ４０で受信したＮＴＳＣ方式のアナログ放送波から選択番組を放送しているチャンネルのアナログ放送信号を抽出し、増幅してＮＴＳＣデコーダ２に出力する。ＮＴＳＣデコーダ２は入力されたアナログ放送信号から番組情報を分離してアナログ形式の映像信号および音声信号に変換し、ＮＴＳＣエンコーダ３に出力する。ＮＴＳＣエンコーダ３は、入力されたアナログ形式の映像信号および音声信号をエンコードしてＭＰＥＧ形式のディジタルデータに変換し、ＭＰＥＧデコーダ５に出力する。ＭＰＥＧデコーダ５に入力されて以降の処理はディジタル放送信号の場合と同じであるので説明を省略する。
【００３０】
また、視聴している番組の録画処理は以下のようにして行われる。すなわち、制御部７は、録画開始命令が入力される（例えば、記録再生用ボタン２８の一つであるＲＥＣボタン）と、ＮＴＳＣエンコーダ３またはＡＴＳＣフロントエンド４で生成されたＭＰＥＧ方式のディジタルデータを、ディジタルデータ記憶部６で所定の記憶媒体(例えばＨＤＤ)に記録するように制御する。そして、録画停止命令が入力される（例えば、記録再生ボタン２８の一つである停止ボタン）と、前記記憶媒体への記録を停止させる。
【００３１】
この記憶部６に記録されたＭＰＥＧ方式のディジタルデータは、例えば、リモコン装置２０の再生ボタンを操作されることに基づいてＭＰＥＧデコーダ５に入力される。そして、ＭＰＥＧデコーダ５は、入力されたディジタルデータを映像データと音声データ等に分離した後、アナログ方式の映像信号と音声信号とに変換し、例えばアナログ方式のテレビジョン受像器等の表示器３０に出力する。
【００３２】
視聴者は番組を視聴中に上記操作を行うことで、現在視聴中の番組を録画することができる。このような録画処理は、従来の一般的なＨＤＤレコーダが備える録画機能と同様である。
【００３３】
次に、本実施形態に係るＨＤＤレコーダ１００が備える独自の録画機能（簡単録画予約機能）について説明する。この簡単録画予約機能は、視聴者が番組を視聴中に、リモコン装置２０の簡単録画予約ボタン２９を操作したときに実行される機能である。
【００３４】
（第１実施形態）
図３は、第１実施形態に係る録画予約設定処理を示したフローチャートである。図３に示すフローチャートは録画制御手段としての制御部７により実行される。
【００３５】
まず、ステップＳ１０１で、番組を視聴しているか判定する。番組を視聴していない場合は、簡単録画予約ボタン２９は無効となるのでそのまま処理を終了する。
【００３６】
ステップＳ１０１で番組を視聴していると判定した場合は、視聴者によりリモコン装置２０の簡単録画予約ボタン２９の入力操作が行われ、録画命令が入力されたか判定する（ステップＳ１０２）。そして、ステップＳ１０２で録画命令が入力されていないと判定した場合はそのまま処理を終了する。
【００３７】
ステップＳ１０２で録画命令が入力されたと判定した場合は、視聴中の番組の番組情報を解析し（番組情報解析手段）、必要な情報を抽出する（ステップＳ１０３）。具体的には、録画命令が入力された時点の日時を装置内時計１０からの情報より判断し、該日時に基づいて、番組情報から番組の放送曜日、番組放送開始時刻、放送終了時刻を抽出する。
【００３８】
次いで、ステップＳ１０３で抽出した情報を元に録画予約の設定を行う（ステップＳ１０４）。以上のようにして、本実施形態に係る簡単録画予約の設定処理が終了する。このように、本実施形態のＨＤＤレコーダ１００において、リモコン装置２０に簡単録画予約ボタン２９を設けたので、視聴者は、番組を視聴中にこの簡単録画予約ボタン２９を操作するという極めて簡単な入力操作により、視聴中の番組の今後の放送について録画予約を設定することができる。
【００３９】
例えば、月曜日の２１：００−２２：００に放送の番組を視聴中（例えば、２１：３０）に視聴者が簡単録画予約ボタン２９の入力操作を行うと、当該番組の番組情報から放送曜日：月曜日、放送開始時刻２１：００、放送終了時刻：２２：００が抽出され、これに基づいて録画予約の設定が行われる。なお、本実施形態では、録画予約の終了時期については特に制限しておらず、上記録画予約の設定がなされた場合には視聴者により録画予約の解除操作がなされるまで毎週月曜日の２１：００―２２：００に録画が実行されることとなる。
【００４０】
また、本実施形態では、簡単録画予約ボタン２９の入力操作がなされた場合には、原則として図３に示したフローチャートにしたがって録画予約設定処理が実行されるので１週間周期で録画予約が行われる。しかし、録画予約する番組が毎日放送されるものであり、１日周期で録画予約をするのが望ましい場合がある。そのため、録画予約の設定において録画周期を変更できるようにしてもよい。
【００４１】
例えば、簡単録画予約ボタン２９が短押しされた場合には図３に示したフローチャートにしたがって１週間周期での録画予約を実行するものとし、長押しされた場合には録画周期を変更できるようにする。具体的には、簡単録画予約ボタン２９が長押しされた場合には、図４に示すような録画周期選択画面Ｄ１を表示させる。この画面において、視聴者はリモコン装置２０のナビゲーションボタン２７を操作してカーソルＣＳＲを上下させ、所望の録画周期に合わせてＥＮＴボタン２３を操作することで録画周期を決定することができる。
【００４２】
なお、簡単録画予約ボタン２９の入力操作が行われた場合に、常に図４に示すような録画周期選択画面を表示させて、視聴者が所望する録画周期を選択できるようにしてもよい。
【００４３】
（第２実施形態）
第２実施形態に係る録画予約設定処理では、簡単録画予約ボタン２９の入力操作がなされた時刻が、視聴中の番組の開始又は終了から所定時間内であった場合に、当該視聴中の番組の前または後の番組を対象として録画予約を設定できるようにしている点で、第１実施形態と異なる。
【００４４】
例えば、図５に示す番組表において、視聴者が２１：００−２２：００に放送される番組Ｂ（６０分ドラマ）の録画予約をしたい場合、視聴者が簡単録画予約ボタン２９の入力操作を行うタイミングとしては、以下のケースが考えられる。すなわち、（１）当該番組を視聴中（例えば、２１：１０）、（２）当該番組の放送が開始される前に流れる番組予告のＣＭ中（例えば、２１：５９）、（３）当該番組の放送が終了した直後（例えば、２２：０１）である。
【００４５】
ケース（１）の場合は当該視聴中の番組の番組情報を解析して、放送曜日、放送時間帯を設定するので何ら問題はない。しかし、ケース（２）、（３）の場合は、視聴中の番組（ケース（２）では番組Ａ、ケース（３）では番組Ｃ）と録画予約を所望する番組（番組Ｂ）が異なってしまうので、このような場合には現在視聴中の番組の前（または後）の番組の録画予約を設定できるようにしている。また、ケース（２）、（３）においても、実際に視聴中の番組の録画予約を設定したい場合があると考えられるので、どの番組の録画予約を設定するかを視聴者に選択させるようにするのが望ましい。
【００４６】
図５は、第２実施形態に係る録画予約設定処理を示したフローチャートである。図５に示すフローチャートは録画制御手段としての制御部７により実行される。
【００４７】
まず、ステップＳ２０１で、番組を視聴しているか判定する。番組を視聴していない場合は、簡単録画予約ボタン２９は無効となるのでそのまま処理を終了する。
【００４８】
ステップＳ２０１で番組を視聴していると判定した場合は、視聴者によりリモコン装置２０の簡単録画予約ボタン２９の入力操作が行われ、録画命令が入力されたか判定する（ステップＳ２０２）。そして、ステップＳ２０２で録画命令が入力されていないと判定した場合はそのまま処理を終了する。
【００４９】
ステップＳ２０２で録画命令が入力されたと判定した場合は、視聴中の番組の番組情報を解析し（番組情報解析手段）、必要な情報を抽出する（ステップＳ２０３）。具体的には、録画命令が入力された時点の日時を装置内時計１０からの情報より判断し、該日時に基づいて、番組情報から番組の放送曜日、番組放送開始時刻、放送終了時刻を抽出する。
【００５０】
次いで、現在時刻（録画命令が入力された時刻）と、ステップＳ２０３で抽出した放送開始時刻および放送終了時刻を比較し（ステップＳ２０４）、現在時刻が当該視聴中の番組の放送開始時刻または放送終了時刻から所定時間内（例えば、２分）であるか判定する（ステップＳ２０５）。つまり、番組が切り替わるタイミングで録画命令が入力されたか否かを判定する。上記したケース（２）、（３）の場合は現在時刻が当該視聴中の番組の放送開始時刻または放送終了時刻から所定時間内（例えば、２分）であることになる。
【００５１】
そして、ステップＳ２０５で現在時刻が当該視聴中の番組の放送開始時刻または放送終了時刻から所定時間内ではないと判定した場合（例えば、上記ケース（１））は、ステップＳ２０３で抽出した情報を元に録画予約の設定を行う（ステップＳ２０８）。
【００５２】
一方、ステップＳ２０５で現在時刻が当該視聴中の番組の放送開始時刻または放送終了時刻から所定時間内であると判定した場合（例えば、上記ケース（２）、（３））は、確認画面を表示させる（ステップＳ２０６）。そして、この確認画面において視聴者にリモコン装置２０を操作して録画予約を設定したい番組を選択させ、決定させる（ステップＳ２０７）。
【００５３】
例えば、ケース（２）の場合には、図７に示すような確認画面を表示する。すなわち、番組が切り替わる境界付近の時刻（ケース（２）では２０：５９）に録画命令がなされると、現在視聴中の番組Ｂに関する番組情報を有する確認画面ＤＡを表示させ、この番組Ａの録画予約を設定するか視聴者に選択させる。視聴者は、この確認画面ＤＡにおいてＥＮＴボタン２３を操作すると番組Ａについて録画予約を設定することとなる。一方、この確認画面ＤＡにおいてナビゲーションボタン２７の左右キーが操作されると、次画面として番組Ａに関する番組情報を有する確認画面ＤＢを表示させ、この番組Ａの録画予約を設定するか視聴者に選択させる。視聴者は、この確認画面ＤＢにおいてＥＮＴボタン２３を操作すると番組Ｂについて録画予約を設定することとなる。このようにして、視聴者に何れの番組の録画予約を設定するのか選択させて、所望の番組の録画予約を設定できるようにしている。
【００５４】
次いで、選択された番組の番組情報を元に録画予約の設定を行う（ステップＳ２０８）。以上のようにして、本実施形態に係る簡単録画予約の設定処理が終了する。このように、本実施形態では、簡単録画予約ボタン２９により録画命令が入力された時刻が、視聴中の番組の開始又は終了から所定時間内であった場合に、当該視聴中の番組の前または後の番組を対象として録画予約を設定できるようにしたので、単純な入力操作で録画予約の設定を行うことができるとともに、視聴者が録画命令を入力した時間が多少ずれていても所望の番組の録画予約を設定できる。
【００５５】
なお、本実施形態では、確認画面ＤＡと確認画面ＤＢを切り換えて表示させるようにしているが、その形態は特に制限されるものではなく、例えば、視聴中の番組を含むＥＰＧ画面を表示し、そのＥＰＧ画面から録画予約を設定する番組を選択するようにしてもよい。また、確認画面ＤＡ，ＤＢの表示はＯＳＤにより視聴中の番組表示に重ねて表示させるようにしてもよい。
【００５６】
このように、本発明に係るテレビジョン放送受信記録装置によれば、リモコン装置２０に単一の入力操作により録画命令（録画予約の設定）を入力可能な簡単録画予約ボタン２９を設けたので、視聴者は番組を視聴中にこの簡単録画予約ボタン２９を操作するという極めて簡単な入力操作により、視聴中の番組の今後の放送について録画予約を設定することができる。また、煩雑な入力操作を行う必要はないので、複雑な機能を有するテレビジョン放送受信記録装置の操作を苦手とする視聴者であっても、簡単に利用することができる。
【００５７】
以上、本発明者によってなされた発明を実施形態に基づいて具体的に説明したが、本発明は前記実施形態に限定されるものではなく、その要旨を逸脱しない範囲で変更可能である。
【００５８】
例えば、テレビジョン放送受信記録装置の一例としてＨＤＤレコーダについて説明したが、ＤＶＤレコーダやビデオカセットレコーダ等にも当然に適用することができる。
【００５９】
また、上記実施形態では、簡単録画予約ボタン２９の入力操作を行うことで、自動的に録画予約の設定を行わせるようにしているが、録画予約と同時に現在視聴中の番組の録画を実行させるようにしてもよい。また、上記実施形態では、テレビジョン放送受信記録装置において、ディジタル放送信号から番組情報を取得するようにしているが、その他の方法で番組情報を取得するように構成してもよく、例えば、インターネット条で公開されている番組情報をネットワーク経由で取得することができる。
【００６０】
また、テレビジョン放送受信記録装置において、番組情報が取得できていない場合には、放送番組を３０分刻みで分割し、録画命令が入力された時刻を参照して、当該時刻を含む時間帯を用いて録画予約の設定を行うことで対応できると考えられる。例えば、２１：１０に録画命令が入力された場合には、当該時刻を含む時間帯は２１：００−２１：３０となるので、これを用いて録画予約の設定を行うこととなる。なお、このような場合は、自動的に設定される録画時間が番組の放送時間に対応しないことも考えられるので、例えば３０分単位で録画時間を変更できるようにすることが望ましい。
【図面の簡単な説明】
【００６１】
【図１】本実施形態のＨＤＤレコーダ１００の機能ブロック図である。
【図２】リモコン装置２０の概略構成図である。
【図３】第１実施形態に係る録画予約設定処理を示すフローチャートである。
【図４】録画周期を決定させるための確認画面の表示例である。
【図５】ＥＰＧ画面（抜粋）の表示例である。
【図６】第２実施形態に係る録画予約設定処理を示すフローチャートである。
【図７】録画予約の設定を行う番組を確定させるための確認画面の表示例である。
【符号の説明】
【００６２】
１  チューナ
２  ＮＴＳＣデコーダ
３  ＮＴＳＣエンコーダ
４  ＡＴＳＣフロントエンド
５  ＭＰＥＧデコーダ
６  ディジタルデータ記憶部
７  制御部
８  操作部
９  メモリ
１０  装置内時計
２０  リモコン装置
３０  表示器
４０  アンテナ
１００  ＨＤＤレコーダ
【図１】
0004645463.tif 000002
【図２】
0004645463.tif 000003
【図３】
0004645463.tif 000004
【図４】
0004645463.tif 000005
【図５】
0004645463.tif 000006
【図６】
0004645463.tif 000007
【図７】
0004645463.tif 000008